(57)【要約】【課題】小型電子機器等に使用される多方向押圧型スイッチ（いわゆる十字キースイッチ）等の押圧型スイッチにおいて、部品点数の増大を抑え、組立製造の容易化や簡素化を実現する。【解決手段】表面部に複数の下側導電部２ｂを有するフィルム状の下側回路基板１ｂ及び裏面部に複数の上側導電部２ａを有し該各上側導電部２ａを各下側導電部２ｂに対向させている上側回路基板１ａからなるメンブレンスイッチ１と、このメンブレンスイッチ１に連続して一体的に形成されメンブレンスイッチ１に対して折り曲げられて上側導電部２ａ及び下側導電部２ｂに対応する位置となされている切片部３と、この切片部３に形成された位置決め穴３ｂによりこの切片部３に対して位置決めされて設置された揺動つまみ４とを備えている。【選択図】図１
2007165076.tif 000002
【特許請求の範囲】
【請求項１】
表面部に少なくとも一つの下側導電部を有するフィルム状の下側回路基板及び裏面部に少なくとも一つの上側導電部を有し該上側導電部を前記下側導電部に対向させている上側回路基板からなる基材部と、
前記基材部に連続して一体的に形成された切片部と
を有し、
前記切片部は、前記基材部に対して折り曲げられることにより、前記上側導電部及び前記下側導電部に対応する位置となされる
ことを特徴とする押圧型スイッチ用基板。
【請求項２】
前記切片部は、前記基材部と同一の材料によって形成されている
ことを特徴とする請求項１記載の押圧型スイッチ用基板。
【請求項３】
前記切片部には、この前記切片部を前記基材部に対して位置決めするための位置決め穴及び前記上側導電部を前記下側導電部に向けて押圧操作するつまみ部材をこの切片部に対して位置決めするための位置決め穴が形成されている
ことを特徴とする請求項１、または、請求項２記載の押圧型スイッチ用基板。
【請求項４】
揺動つまみを多方向に揺動させることで、その下に配置した上側導電部及び下側導電部を接触させて導通させる構造の多方向押圧型スイッチであって、
表面部に複数の下側導電部を有するフィルム状の下側回路基板及び裏面部に複数の上側導電部を有し該各上側導電部を前記各下側導電部に対向させている上側回路基板からなる基材部と、
前記基材部に連続して一体的に形成され、前記基材部に対して折り曲げられて前記上側導電部及び前記下側導電部に対応する位置となされている切片部と
前記切片部に形成された位置決め穴によりこの切片部に対して位置決めされて設置された前記揺動つまみと
を備えたことを特徴とする多方向押圧型スイッチ。
【発明の詳細な説明】
【技術分野】
【０００１】
本発明は、小型電子機器等に使用される押圧型スイッチを構成するための押圧型スイッチ用基板及びこの押圧型スイッチ用基板を用いて構成された多方向押圧型スイッチ（いわゆる十字キースイッチ等）に関する。
【背景技術】
【０００２】
従来、パーソナルコンピュータや携帯電話装置などの小型電子機器においては、入力装置として、いわゆる皿バネ式スイッチやメンブレンスイッチ等のスイッチが使用されている。そして、近年、入力装置の多様化、多機能化に伴って、揺動つまみを多方向に揺動させることによってスイッチ操作を行う多方向押圧型スイッチが提案されている。例えば、特許文献１には、揺動つまみとしていわゆる「十字キー」を有し、この「十字キー」の揺動方向に応じてスイッチ操作がなされる多方向押圧型スイッチが記載されている。
【０００３】
このような揺動つまみを介して操作されるメンブレンスイッチは、上側回路基板に設けられた上側導電部及び下側回路基板に設けられた下側導電部を有して構成されている。すなわち、上側回路基板には、円盤状の上側導電部と、この上側導電部を外部装置に接続するための配線部が形成されている。また、下側回路基板には、円盤状の下側導電部と、この下側導電部を外部装置に接続するための配線部が形成されている。そして、上側回路基板と下側回路基板とは、スペーサシートを挟んで粘着層により固定されている。上側回路基板の上側導電部と下側回路基板の下側導電部との間には、スペーサシートの厚さに相当する隙間が形成されている。
【０００４】
このような構成のメンブレンスイッチにおいては、上側回路基板側から荷重が加えられると、上側回路基板の一部が変形し、上側導電部が下側導電部に接触するため、これら上側導電部及び下側導電部電極が導通状態となり、スイッチ操作が実行される。
【０００５】
【特許文献１】特開２００１−１８５００４公報
【発明の開示】
【発明が解決しようとする課題】
【０００６】
ところで、前述したような従来の多方向押圧型スイッチにおいては、揺動つまみは、下側回路基板を基準とする所定の範囲内において、移動操作（揺動）可能に支持されている必要がある。揺動つまみをこのような状態として支持するには、別個の固定用の部品等を用いる必要があり、部品点数が増大し、組立製造の困難化、煩雑化が招来され、また、製造コストの高騰が招来される。
【０００７】
そこで、本発明は、前述の実情に鑑みて提案されるものであって、小型電子機器等に使用される多方向押圧型スイッチ（いわゆる十字キースイッチ）等の押圧型スイッチの部品点数の増大を抑え、組立製造の容易化や簡素化を実現することのできる押圧型スイッチ用基板を提供し、また、この押圧型スイッチ用基板を用いて構成され部品点数の増大が抑えられ組立製造の容易化や簡素化が実現された多方向押圧型スイッチを提供することを目的とする。
【課題を解決するための手段】
【０００８】
上記課題を解決するため、本発明は、以下の構成のいずれかを有するものである。
【０００９】
〔構成１〕
本発明に係る押圧型スイッチ用基板は、表面部に少なくとも一つの下側導電部を有するフィルム状の下側回路基板及び裏面部に少なくとも一つの上側導電部を有し該上側導電部を下側導電部に対向させている上側回路基板からなる基材部と、この基材部に連続して一体的に形成された切片部とを有し、切片部は、基材部に対して折り曲げられることにより、上側導電部及び下側導電部に対応する位置となされることを特徴とするものである。
【００１０】
〔構成２〕
本発明に係る押圧型スイッチ用基板は、構成１を有する押圧型スイッチ用基板において、切片部は、基材部と同一の材料によって形成されていることを特徴とするものである。
【００１１】
〔構成３〕
本発明に係る押圧型スイッチ用基板は、構成１、または、構成２を有する押圧型スイッチ用基板において、切片部には、この切片部を基材部に対して位置決めするための位置決め穴及び上側導電部を下側導電部に向けて押圧操作するつまみ部材をこの切片部に対して位置決めするための位置決め穴が形成されていることを特徴とするものである。
【００１２】
〔構成４〕
本発明に係る多方向押圧型スイッチは、揺動つまみを多方向に揺動させることでその下に配置した上側導電部及び下側導電部を接触させて導通させる構造の多方向押圧型スイッチであって、表面部に複数の下側導電部を有するフィルム状の下側回路基板及び裏面部に複数の上側導電部を有し該各上側導電部を各下側導電部に対向させている上側回路基板からなる基材部と、基材部に連続して一体的に形成され基材部に対して折り曲げられて上側導電部及び下側導電部に対応する位置となされている切片部と、この切片部に形成された位置決め穴によりこの切片部に対して位置決めされて設置された揺動つまみとを備えたことを特徴とするものである。
【発明の効果】
【００１３】
本発明に係る押圧型スイッチ用基板は、構成１を有することにより、切片部は、基材部に対して折り曲げられることにより、上側導電部及び下側導電部に対応する位置となされるので、上側導電部を下側導電部に向けて押圧操作するつまみ部材を支持することができ、押圧型スイッチの部品点数の増大を抑え、組立製造の容易化や簡素化を実現することができる。
【００１４】
本発明に係る押圧型スイッチ用基板は、構成２を有することにより、切片部は、基材部と同一の材料によって形成されているので、切片部と基材部を一体的に容易に形成することができる。
【００１５】
本発明に係る押圧型スイッチ用基板は、構成３を有することにより、切片部には、この切片部を基材部に対して位置決めするための位置決め穴及び上側導電部を下側導電部に向けて押圧操作するつまみ部材をこの切片部に対して位置決めするための位置決め穴が形成されているので、別途の部品を使用することなく、切片部の基材部に対する位置決め及びつまみ部材の切片部に対する位置決めを行うことができる。
【００１６】
本発明に係る多方向押圧型スイッチは、構成４を有することにより、揺動つまみは、基材部に連続して一体的に形成され基材部に対して折り曲げられて上側導電部及び下側導電部に対応する位置となされている切片部に形成された位置決め穴により、この切片部に対して位置決めされて設置されているので、揺動つまみを支持するための別途の部品が不要であり、部品点数の増大が抑えられている。
【００１７】
すなわち、本発明は、小型電子機器等に使用される多方向押圧型スイッチ（いわゆる十字キースイッチ）等の押圧型スイッチの部品点数の増大を抑え、組立製造の容易化や簡素化を実現することのできる押圧型スイッチ用基板を提供し、また、この押圧型スイッチ用基板を用いて構成され部品点数の増大が抑えられ組立製造の容易化や簡素化が実現された多方向押圧型スイッチを提供することができるものである。
【発明を実施するための最良の形態】
【００１８】
以下、本発明を実施するための最良の形態について図面を参照して説明する。
【００１９】
図１は、本発明に係る多方向押圧型スイッチの実施の形態における構成を示す分解斜視図である。
【００２０】
図２は、本発明に係る多方向押圧型スイッチの実施の形態における構成を示す分解平面図である。
【００２１】
本発明に係る多方向押圧型スイッチは、本発明に係る押圧型スイッチ用基板を有して構成されるものであって、図１及び図２に示すように、基材部となるメンブレンスイッチ１を有して構成される。このメンブレンスイッチ１は、上側回路基板１ａ及び下側回路基板１ｂにより構成されている。上側回路基板１ａの裏面部には、複数の円盤状の上側導電部２ａが形成されている。また、下側回路基板１ｂの表面部には、複数の円盤状の下側導電部２ｂと、各上側導電部２ａ及び各下側導電部２ｂを図示しない外部装置に接続するための配線部が形成されている。上側回路基板１ａの裏面部及び下側回路基板１ｂの表面部において、上側導電部２ａ及び下側導電部２ｂ以外の部分には、レジスト層が形成されている。
【００２２】
上側回路基板１ａ及び下側回路基板１ｂは、例えば、ポリエチレンテレフタレート（ＰＥＴ）、ポリエチレンナフタレート、ポリフェニレンサルファイド、ポリエーテルイミド、ポリイミドなどの材料をフィルム状に加工して用いられるが、メンブレンスイッチに要求される耐熱性などの条件に応じて適宜選択された材料を用いることができる。これら上側回路基板１ａ及び下側回路基板１ｂの厚さは、５０μｍ乃至１００μｍ程度が望ましく、特に、７５μｍ程度が好ましい。また、レジスト層の厚さは、２５μｍ程度が好ましい。
【００２３】
上側導電部２ａ及び下側導電部２ｂを形成する材料としては、銅、銀、金などの金属からなる金属箔、銀ペースト、カーボンインキなどの導電ペーストなどが用いられる。なお、各上側導電部２ａ及び各上側導電部２ａの形状は、円形に限定されるものではなく、正方形、長方形、三角形などであってもよい。
【００２４】
上側回路基板１ａと下側回路基板１ｂとは、スペーサシートを挟んで粘着層により固定されており、各上側導電部２ａと各下側導電部２ｂとを対応させて対向させている。各上側導電部２ａ及び各上側導電部２ａとの間には、スペーサシートの厚さに相当する隙間が形成されている。
【００２５】
スペーサシートとしては、上側回路基板１ａ及び下側回路基板１ｂと同様な材料が用いられる。また、上側回路基板１ａ及び下側回路基板１ｂに塗布されるレジスト層をスペーサシートとして機能させるようにしてもよい。粘着層を形成する材料としては、特に限定されるものではなく、天然ゴムにロジンおよびロジンエステルなどの粘着付与樹脂を加えたゴム系粘着剤、アクリル酸とそのエステルの共重合体で構成されるアクリル系粘着剤、ビニルエーテル系粘着剤、ウレタン系粘着剤などのエマルジョン型、溶剤型、ホットメルト型粘着剤などを使用することができる。
【００２６】
図３は、本発明に係る押圧型スイッチ用基板の実施の形態における構成を示す平面図である。
【００２７】
この多方向押圧型スイッチにおける押圧型スイッチ用基板は、図３に示すように、上側回路基板１ａ及び下側回路基板１ｂが繋がった状態で形成されており、上側回路基板１ａと下側回路基板１ｂとの境界部分で折り曲げられることにより、メンブレンスイッチ１を構成する。そして、この押圧型スイッチ用基板は、切片部３を有している。この切片部３は、上側回路基板１ａ、または、下側回路基板１ｂに連続して一体的に形成され、十字型の形状を有している。この切片部３は、メンブレンスイッチ１の上側回路基板１ａ及び下側回路基板１ｂと同一の材料によって形成されている。そして、この切片部３は、図２に示すように、メンブレンスイッチ１に対して折り曲げられることにより、上側導電部２ａ及び下側導電部２ｂに対応する位置となされる。なお、この切片部３には、レジスト層は形成されていない。この切片部３は、この切片部３をメンブレンスイッチ１に対して位置決めするための位置決め穴３ａを有している。
【００２８】
図４は、本発明に係る多方向押圧型スイッチの実施の形態における要部の構成を示す断面図である。
【００２９】
そして、メンブレンスイッチ１には、図４に示すように、上側導電部２ａを下側導電部２ｂに向けて押圧操作するつまみ部材となる揺動つまみ（十字キー）４が装着されている。この揺動つまみ４は、切片部３に対して設置されている。切片部３は、揺動つまみ４をこの切片部３に対して位置決めするための位置決め穴３ｂを有している。すなわち、揺動つまみ４は、裏面部に突設されたボス４ａを、切片部３に形成された位置決め穴３ｂに嵌合させることにより、この切片部３に対して位置決めされて支持されている。
【００３０】
揺動つまみ４は、メンブレンスイッチ１の表面側から周辺側の所定の４箇所のいずれかの箇所を押圧操作されることにより、押圧された箇所をメンブレンスイッチ１側に変位させて揺動されるとともに、押圧操作を解除されることにより、切片部３の弾性力によって初期位置に戻るようになっている。
【００３１】
このように、この多方向押圧型スイッチにおいては、揺動つまみ４が、切片部３に形成された位置決め穴３ｂによりこの切片部３に対して位置決めされて設置されるので、揺動つまみ４を支持するための別途の部品が不要であり、部品点数の増大が抑えられている。なお、上側回路基板１ａと下側回路基板１ｂとは、前述したように、スペーサシートとして機能するレジスト層１ｃ，１ｄを挟んで固定されている。
【００３２】
また、切片部３には、図１及び図４に示すように、押釦５が取付けられている。この押釦５は、揺動つまみ４の中央部に設けられた開口部４ｂを介して、揺動つまみ４の表面側に臨んでいる。この押釦５は、表面側から押圧操作されることによりメンブレンスイッチ１側に変位されるとともに、押圧操作を解除されることにより切片部３の弾性力によって初期位置に戻るようになっている。
【００３３】
そして、この多方向押圧型スイッチは、ベースプレート６を有している。このベースプレート６は、合成樹脂材料等により、略平板状に形成されている。このベースプレート６は、メンブレンスイッチ１の表面側を覆って、このメンブレンスイッチ１上に取付けられている。このベースプレート６は、裏面部に、位置決め穴３ａに嵌合することによって切片部３をメンブレンスイッチ１に対して位置決めして固定するためのボス６ａを有している。切片部３は、位置決め穴３ａにボス６ａを嵌合されることによって、メンブレンスイッチ１に対して位置決めして固定されている。揺動つまみ４は、ベースプレート６に設けられた開口部６ｂを介して、ベースプレート６の表面側に臨んでいる。
【００３４】
また、このベースプレート６には、複数の押釦部６ｃが形成されている。これら押釦部６ｃは、ベースプレート６に対して、肉薄部を介して連続されており、ベースプレート６の表面側から押圧操作されることによりベースプレート６の裏面側に向けて変位されるとともに、押圧操作を解除されることにより肉薄部の弾性力によって初期位置に戻るようになっている。
【００３５】
この多方向押圧型スイッチにおいて、ベースプレート６と下側回路基板１ｂの下側導電部２ｂとは、互いに固定された所定の位置関係となされている。そして、この多方向押圧型スイッチにおいては、揺動つまみ４を多方向に揺動させることにより、その下に配置された上側導電部２ａ及び下側導電部２ｂが接触されて導通される構造となっている。また、この多方向押圧型スイッチにおいては、複数の押釦部６ｃ及び押釦５がそれぞれ押圧されることにより、その下に配置された上側導電部２ａ及び下側導電部２ｂが接触されて導通される構造となっている。
【００３６】
なお、この多方向押圧型スイッチにおいて、上側導電部２ａ及び下側導電部２ｂは、前述した実施の形態におけるようにメンブレンスイッチ１を構成するものに限定されず、いわゆる皿バネ式スイッチを構成するものであってもよい。そして、この多方向押圧型スイッチは、携帯電話装置、パーソナルコンピュータ装置、ビデオカメラ装置、画像表示装置等、種々の小型電子機器に応用することができる。
【図面の簡単な説明】
【００３７】
【図１】本発明に係る多方向押圧型スイッチの実施の形態における構成を示す分解斜視図である。
【図２】前記多方向押圧型スイッチの実施の形態における構成を示す分解平面図である。
【図３】本発明に係る押圧型スイッチ用基板の実施の形態における構成を示す平面図である。
【図４】前記多方向押圧型スイッチの実施の形態における要部の構成を示す断面図である。
【符号の説明】
【００３８】
メンブレンスイッチ１
上側回路基板１ａ
下側回路基板１ｂ
上側導電部２ａ
下側導電部２ｂ
切片部３
揺動つまみ４
押釦５
ベースプレート６
【図１】
2007165076.tif 000003
【図２】
2007165076.tif 000004
【図３】
2007165076.tif 000005
【図４】
2007165076.tif 000006